【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
可剥層フィルム形成材を含む可剥層用組成物であって、該可剥層用組成物が接着強度より大きい引張強度を有する可剥層を形成し、該可剥層用組成物が、ポリアクリラートポリマー、ポリアクリリックポリマー、エポキシポリマー、ポリスチレンポリマー、ポリアクリラート−スチレンコポリマー、ポリエステル、フルオロポリマー、ポリ塩化ビニル、ポリ塩化ビニルｃｏ−酢酸ビニル、酢酸ビニルポリマー、酢酸ビニルエチレンコポリマー、酢酸ビニルアクリラートコポリマー、ポリビニルブチラール、スチレン−ブタジエンコポリマー、アクリロニトリル−ブタジエンコポリマー、およびこれらの組み合わせからなる群より選択される少なくとも一つを含む、可剥層用組成物；および
メンテナンス層フィルム形成材を含むメンテナンス層用組成物
を含むコーティングシステム。
【請求項２】
可剥層用組成物またはメンテナンス層用組成物が液体である、請求項１に記載のコーティングシステム。
【請求項３】
可剥層用組成物がエチレン酢酸ビニルコポリマーを含む、請求項１に記載のコーティングシステム。
【請求項４】
メンテナンス層がポリスチレンアクリラートを含む、請求項３に記載のコーティングシステム。
【請求項５】
可剥層用組成物がエチレン酢酸ビニルアクリラートコポリマーを含み、該酢酸ビニルアクリラートコポリマーが酢酸ビニル−ブチルアクリラート−メチルメタクリラートである、請求項１に記載のコーティングシステム。
【請求項６】
可剥層用組成物またはメンテナンス層用組成物が、可塑剤、中和剤、湿潤剤、消泡剤、造膜助剤、保存剤、染料、顔料、芳香剤、ナノ粒子、光学組成物および埋め込まれる粒子からなる群から選択される少なくとも１種の添加剤をさらに含む、請求項１に記載のコーティングシステム。
【請求項７】
基材層フィルム形成材を含む基材層用組成物をさらに含む、請求項１に記載のコーティングシステム。
【請求項８】
遷移層フィルム形成材を含む遷移層用組成物をさらに含む、請求項１に記載のコーティングシステム。
【請求項９】
可剥層フィルム形成材を含む可剥層用組成物であって、可剥層が接着強度より大きい引張強度を有する、可剥層用組成物；および
メンテナンス層フィルム形成材を含むメンテナンス層用組成物であって、該メンテナンス層用組成物が、ＵＶ硬化ポリマー、ポリアクリラート、ポリスチレンアクリラート、ポリウレタン、ポリウレア、およびこれらの組み合わせからなる群より選択される少なくとも一つを含む、メンテナンス層用組成物
を含むコーティングシステム。
【請求項１０】
可剥層用組成物またはメンテナンス層用組成物が液体である、請求項９に記載のコーティングシステム。
【請求項１１】
メンテナンス層用組成物がポリアクリラートを含み、該ポリアクリラートがポリスチレンアクリラートである、請求項９に記載のコーティングシステム。
【請求項１２】
基材層フィルム形成材を含む基材層用組成物をさらに含む、請求項９に記載のコーティングシステム。
【請求項１３】
遷移層フィルム形成材を含む遷移層用組成物をさらに含む、請求項９に記載のコーティングシステム。
【請求項１４】
約−１０から約５０℃のＴｇを有する可剥層フィルム形成材を含む可剥層用組成物；および
約２０から約１００℃のＴｇを有するメンテナンス層フィルム形成材を含むメンテナンス層用組成物
を含むコーティングシステム。
【請求項１５】
可剥層用組成物またはメンテナンス層用組成物が液体である、請求項１４に記載のコーティングシステム。
【請求項１６】
可剥層フィルム形成材が酢酸ビニルエチレンコポリマーまたは酢酸ビニルアクリラートコポリマーを含む、請求項１４に記載のコーティングシステム。
【請求項１７】
酢酸ビニルアクリラートコポリマーが酢酸ビニル−ブチルアクリラート−メチルメタクリラートである、請求項１６に記載のコーティングシステム。
【請求項１８】
メンテナンス層フィルム形成材がポリアクリラートを含む、請求項１４に記載のコーティングシステム。
【請求項１９】
ポリアクリラートがポリスチレンアクリラートである、請求項１８に記載のコーティングシステム。
【請求項２０】
可剥層用組成物またはメンテナンス層用組成物が、可塑剤、中和剤、湿潤剤、消泡剤、造膜助剤、保存剤、染料、顔料、芳香剤、ナノ粒子、光学組成物および埋め込まれる粒子からなる群から選択される少なくとも１種の添加剤をさらに含む、請求項１４に記載のコーティングシステム。
【請求項２１】
基材層フィルム形成材を含む基材層用組成物をさらに含む、請求項１４に記載のコーティングシステム。
【請求項２２】
基材フィルム形成材が約−１０℃から約１００℃のＴｇを有する、請求項２１に記載のコーティングシステム。
【請求項２３】
基材層用組成物が、可塑剤、中和剤、湿潤剤、消泡剤、造膜助剤、保存剤、染料、顔料、芳香剤、ナノ粒子、光学組成物および埋め込まれる粒子からなる群から選択される少なくとも１種の添加剤をさらに含む、請求項２１に記載のコーティングシステム。
【請求項２４】
遷移層フィルム形成材を含む遷移層用組成物をさらに含む、請求項１４に記載のコーティングシステム。
【請求項２５】
遷移フィルム形成材が約２０℃から約１００℃のＴｇを有する、請求項２４に記載のコーティングシステム。
【請求項２６】
遷移層用組成物が、可塑剤、中和剤、湿潤剤、消泡剤、造膜助剤、保存剤、染料、顔料、芳香剤、ナノ粒子、光学組成物および埋め込まれる粒子からなる群から選択される少なくとも１種の添加剤をさらに含む、請求項２４に記載のコーティングシステム。
【請求項２７】
除去用具をさらに含む、請求項１４に記載のコーティングシステム。
【請求項２８】
可剥層を形成するように、表面に、約−１０℃から約５０℃のＴｇを有する可剥層フィルム形成材を含む可剥層用組成物を付与すること；および
メンテナンス層を形成するように、約２０℃から約１００℃のＴｇを有するメンテナンス層フィルム形成材を含むメンテナンス層用組成物を付与すること
を含む、表面のコーティング方法。
【請求項２９】
可剥層用組成物またはメンテナンス層用組成物が液体である、請求項２８に記載の方法。
【請求項３０】
表面が床である、請求項２８に記載の方法。
【請求項３１】
可剥層フィルム形成材を含む可剥層用組成物であって、該可剥層用組成物が接着強度より大きい引張強度を有する可剥層を形成し、該可剥層用組成物が、ポリアクリラートポリマー、ポリアクリリックポリマー、エポキシポリマー、ポリスチレンポリマー、ポリアクリラート−スチレンコポリマー、ポリエステル、フルオロポリマー、ポリ塩化ビニル、ポリ塩化ビニルｃｏ−酢酸ビニル、酢酸ビニルポリマー、酢酸ビニルエチレンコポリマー、酢酸ビニルアクリラートコポリマー、ポリビニルブチラール、スチレン−ブタジエンコポリマー、アクリロニトリル−ブタジエンコポリマー、およびこれらの組み合わせからなる群より選択される少なくとも一つを含む、可剥層用組成物を付与すること；および
メンテナンス層フィルム形成材を含むメンテナンス層用組成物を付与すること
を含む、表面のコーティング方法。
【請求項３２】
可剥層用組成物またはメンテナンス層用組成物が液体である、請求項３１に記載の方法。
【請求項３３】
表面が床である、請求項３１に記載の方法。
【請求項３４】
可剥層フィルム形成材を含む可剥層用組成物を付与すること；および
メンテナンス層フィルム形成材を含むメンテナンス層用組成物であって、該メンテナンス層フィルム形成材が、ＵＶ硬化ポリマー、ポリアクリラート、ポリスチレンアクリラート、ポリウレタン、ポリウレア、およびこれらの組み合わせからなる群より選択される少なくとも一つを含む、メンテナンス層用組成物を付与すること
を含む、表面のコーティング方法。
【請求項３５】
可剥層用組成物またはメンテナンス層用組成物が液体である、請求項３４に記載の方法。
【請求項３６】
表面が床である、請求項３４に記載の方法。